(57)【要約】      （修正有）【課題】壁に配置するのが容易で、その場を心の癒し、希望、うるおい、開放感を与える明るい雰囲気に出来る写真トリックアートを提供する。【解決手段】この写真トリックアートは、枠用写真１と風景写真２を合わせる事により、枠から見える外の風景にする。枠用写真は、掃き出し窓、出窓、車窓、船舶窓、高層ビルの窓、自動ドア、観音扉、引き戸、開き戸、天窓、カーテン付きサッシから成り、薄く軽量なボードに貼る事により強度を増し、枠で使用する部分以外をボードごと切り抜いている写真枠である。また、枠の裏に写真を差し込める様に袋とじにした入れ物がついている。その為、写真を収納できるので、紙芝居みたいに風景写真２を交換でき、自分で撮影したお気に入り写真や四季折々の風景が楽しめる。【選択図】図２
0003155412.tif 000002
【実用新案登録請求の範囲】
【請求項１】
枠用写真と風景写真を合わせる事により、枠から見える外の風景にする。枠用写真は、掃き出し窓、出窓、車窓、船舶窓、高層ビルの窓、自動ドア、観音扉、引き戸、開き戸天窓、カーテン付きサッシから成り、薄く軽量なボード等に貼る事により強度を増し、枠で使用する部分以外をボードごと切り抜いてある写真枠である。２枚の写真を合わせて作った風景の写真トリックアートである。
【請求項２】
枠用写真と風景写真を合わせる事により、枠から見える外の風景にする。枠用写真は、掃き出し窓、出窓、車窓、船舶窓、高層ビルの窓、自動ドア、観音扉、引き戸、開き戸天窓、カーテン付きサッシから成り、薄く軽量なボード等に貼る事により強度を増し、枠で使用する部分以外をボードごと切り抜いている写真枠である。また、枠の裏に写真を差し込める様に袋とじにした入れ物がついている。その為、写真を収納できるので、紙芝居みたいに風景写真を交換でき、自分で撮影したお気に入り写真や四季折々の風景が楽しめる。この入れ物の収納部の厚みは数ミリの範囲である。２枚の写真を合わせて作った風景の写真トリックアートである。
【請求項３】
枠用写真と風景写真を合わせる事により、実存する窓から見る景色のごとく、一枚の風景写真にする。枠用写真は、掃き出し窓、出窓、車窓、船舶窓、高層ビルの窓、自動ドア、観音扉、引き戸、開き戸天窓、カーテン付きサッシから成る風景の写真トリックアートにより演出できる。この写真トリックアートは、薄く軽量なボード等に貼る事により強度を増している。
【考案の詳細な説明】
【技術分野】
【０００１】  この考案は、室内や外壁の装飾のために利用できる。いろんな枠用写真と裏側の風景写真を変える事により、自然の景観を身近に感じられ、心の癒し、うるおい、希望と開放感を与え、雰囲気を変えることが出来る。
【背景技術】
【０００２】  壁の装飾は壁紙を貼る事、塗り壁等により美観を与えていた。しかし、壁紙の張替や塗り壁等は、自分で行なうのは大変であり、業者に頼むと時間とコストがかかり、交換がなかなか出来なかった。
【先行技術文献】
【特許文献】
【０００３】
【特許文献１】  実開平０７−００７５６１号  公報
【特許文献２】  実開昭６２−１８５５７１号  公報
【考案の概要】
【考案が解決しようとする課題】
【０００４】この考案は、窓がない部屋や殺風景な壁等を心の癒し、うるおい、希望と開放感を与える、明るい雰囲気な場所にする為に提供するものである。
【課題を解決するための手段】
【０００５】この考案は、写真トリックアートを室内や外壁等に設置する事や天井から吊り下げ、ポールに貼り付けて設置する事により解決される。
【考案の効果】
【０００６】この考案の写真トリックアートによると、天井から吊り下げや部屋の壁紙の上に設置でき、軽量のものなので容易に取付け、取外し、移設ができる。
【図面の簡単な説明】
【０００７】
【図１】  この考案の枠用写真の正面図である。
【図２】  この考案の枠用写真と風景写真２枚を合わせた写真の正面図である。
【図３】  この考案の断面図で枠用写真は強度を増す為薄く軽量なボード等に貼ってある。その裏に風景を収納する入れ物がついていて、そこに複数の風景写真が収められている。
【図４】  この考案の枠用写真の背面図である。
【図５】  この考案の風景写真を抜き差ししている状態の斜視図である。
【図６】  この考案の枠写真と風景写真を１枚にした写真の正面図である。
【考案を実施するための形態】
【０００８】  この考案の写真トリックアートは、最良の形態の実施例で図面に基づいて説明される。図１は枠用写真の正面図であり、枠部分以外を切り抜いてある。図２は、枠用写真と風景写真２枚を合わせた写真の正面図である。図３は、断面図で枠用写真に風景を収納する入れ物がついていて、そこに数枚の風景写真が収めることが出来うる仕様になっている。この入れ物の収納部の厚みは数ミリの範囲である。図４は、枠用写真の背面図である。図５は、風景写真を抜き差ししている状態の斜視図である。図６は、枠写真と風景写真を１枚の写真にした正面図である。
【実施例】
【０００９】  この考案の写真トリックアートは、図２に示されるように、窓がない所に心休まる風景を飾る為に、枠用写真１と風景写真２を合わせる事により、擬似的に室内から見た外の風景を作り出す。
【産業上の利用可能性】
【００１０】  この考案の写真トリックアートによれば、広い部屋や人が集まる多目的な広場などにも、提供でき、閉めっきりな部屋に、心の癒し、うるおい、希望と開放感を与える事を目的とする。
【符号の説明】
【００１１】１．．．枠用写真
２．．．風景写真
３．．．強度を増す為の薄く軽量なボード
４．．．袋とじの入れ物
５．．．枠写真と風景写真を１枚にした写真
【図１】
0003155412.tif 000003
【図２】
0003155412.tif 000004
【図３】
0003155412.tif 000005
【図４】
0003155412.tif 000006
【図５】
0003155412.tif 000007
【図６】
0003155412.tif 000008
【手続補正書】
【提出日】平成21年8月14日(2009.8.14)
【手続補正１】
【補正対象書類名】実用新案登録請求の範囲
【補正対象項目名】全文
【補正方法】変更
【補正の内容】
【実用新案登録請求の範囲】
【請求項１】
枠用写真と風景写真を合わせる事により、枠から見える外の風景にし、枠用写真は、掃き出し窓、出窓、車窓、船舶窓、高層ビルの窓、自動ドア、観音扉、引き戸、開き戸天窓、カーテン付きサッシのいずれからなり、薄く軽量なボード等に貼る事により強度を増し、枠で使用する部分以外をボードごと切り抜いてある写真枠であり、枠用写真と風景写真を合わせて作ったトリックアート。
【請求項２】
枠用写真と風景写真を合わせる事により、枠から見える外の風景にし、枠用写真は、掃き出し窓、出窓、車窓、船舶窓、高層ビルの窓、自動ドア、観音扉、引き戸、開き戸天窓、カーテン付きサッシのいずれから成り、薄く軽量なボード等に貼る事により強度を増し、枠で使用する部分以外をボードごと切り抜いている写真枠で、枠の裏に風景写真を差し込める様に袋とじにした入れ物を設けて、その入れ物に風景写真を収納できるので、紙芝居みたいに風景写真を交換でき、自分で撮影したお気に入り写真や四季折々の風景が楽しめ、この入れ物の収納部の厚みを数ミリの範囲として、枠用写真と風景写真を合わせて作ったトリックアート。
【請求項３】
枠用写真と風景写真を合成する事により、実存する窓から見る景色のごとく、一枚の合成写真にし、枠用写真は、掃き出し窓、出窓、車窓、船舶窓、高層ビルの窓、自動ドア、観音扉、引き戸、開き戸天窓、カーテン付きサッシのいずれから成り、合成写真を薄く軽量なボード等に貼る事により強度を増しているトリックアート。